(57)【特許請求の範囲】
【請求項１】
底板と前板と後板と右側面板と左側面板とからなる一面が開口された包装媒体巻回体を収納する包装媒体収納容器であって、前記後板には回動可能に連接され、前記開口された一面を塞ぐように構成された蓋板と、当該蓋板に立設された蓋前板と当該蓋前板に切取線を介して連接された開封板とを含んで構成される蓋開封前板とからなる包装媒体収納容器において；
前記底板と前記前板と前記後板と前記蓋板と前記蓋開封前板の少なくともいずれかの一つの面に形成された滑り止め部を備え；
前記滑り止め部が、前記面の一方の端部または両方の端部に形成され；
前記滑り止め部が、エンボス加工がなされたエンボスであり；
前記エンボスが、並列して配置された複数のＶ字状であり；
前記包装媒体収納容器は、前記底板、前記前板、前記後板、前記蓋板及び前記蓋開封前板が長方形であって、前記前板は前記底板の一方の長辺に前記底板に対し直角に立設され、前記後板は前記底板の一方の長辺に対向する他方の長辺に前記底板に対し直角に立設され、前記蓋開封前板は前記蓋板が前記開口された一面を塞いだ状態のときに前記前板の外側の面に沿って重なるように配置されて構成され；
前記Ｖ字状のエンボスは、Ｖ字の屈曲した部分が前記面の長方形の短辺側に位置し、Ｖ字の両端部が前記面の長方形の短辺とは反対側に位置するように配置されている；
包装媒体収納容器。
【請求項２】
前記滑り止め部が、前記底板と前記前板と前記後板と前記蓋板と前記蓋開封前板との面にそれぞれ形成された；
請求項１に記載の包装媒体収納容器。
【請求項３】
前記滑り止め部が、前記端部の端から２ｍｍから１００ｍｍの範囲内に配置された；
請求項１または請求項２に記載の包装媒体収納容器。
【請求項４】
請求項１乃至請求項３のいずれか１項に記載の包装媒体収納容器と；
前記包装媒体が円筒状に巻かれた前記包装媒体巻回体とを備える；
包装媒体供給具。
【発明の詳細な説明】
【技術分野】
【０００１】
本発明は、包装媒体が円筒状に巻かれた包装媒体巻回体を収納する包装媒体収納容器に関し、特に、包装媒体収納容器を移動させる際などに、包装媒体収納容器を確実に手で掴むことのできる包装媒体収納容器に関する。
【背景技術】
【０００２】
図７（Ａ）、（Ｂ）、（Ｃ）に示すように、従来の包装媒体供給具１０１は、包装媒体巻回体（図７に不図示）（以下、適宜、巻回体）と、巻回体を収納する包装媒体収納容器１０３（以下、適宜、収納容器１０３）とを含んで構成される。巻回体は、食品包装用等に使用される包装媒体（図７に不図示）を円筒状の巻芯（図７に不図示）に巻きつけて巻回体としたものである。巻回体は、細長い直方体形状である紙製の収納容器１０３の中に収納される。
【０００３】
収納容器１０３は、底板１０５と、前板１０６と、後板１０７と、右側面板１０８、左側面板１０９と、収納容器１０３の蓋としての機能を有する蓋板１２２であって、一辺１３９が後板１０７に回動可能に連接された蓋板１２２とを備える。収納容器１０３は、さらに、蓋板１２２の一辺１３９に対向する他の一辺１４０に立設された蓋前板１２３であって、収納容器１０３が閉状態になったとき、すなわち、蓋板１２２が底板１０５に平行になったときに、前板１０６の外側に重なる蓋前板１２３を備える。蓋前板１２３の長手方向Ｘの中央部には滑り止め部１１１が形成されている（例えば、特許文献１、段落０００６〜０００９、図２〜図４）。滑り止め部１１１は、前板１０６に形成された凹陥部１１１Ａであり（図７（Ａ））、あるいは小突起の集合パターン１１１Ｂであり（図７（Ｂ））、あるいは前板１０６と蓋板１２２にまたがる曲面１１１Ｃである（図７（Ｃ））。
【０００４】
包装媒体を使用するときは、例えば収納容器１０３を左手で持ち、蓋前板１２３の滑り止め部１１１を左手の親指で押さえ、左手で蓋板１２２を開け、その後右手で包装媒体を摘んで引き出し、巻回体を収納容器１０３内で回転させ、包装媒体を巻回体から剥離させ、収納容器１０３の外部に引き出すことができる。必要な長さの包装媒体を引き出した後に、蓋板１２２を左手で閉め、蓋前板１２３の滑り止め部１１１を、左手の親指で押さえ、カッター１２４を使用して包装媒体を切断し、切り離した包装媒体を使用する。
【先行技術文献】
【特許文献】
【０００５】
【特許文献１】特開平９−１２０３６号公報
【発明の概要】
【発明が解決しようとする課題】
【０００６】
しかし、従来の包装媒体供給具の滑り止め部は、蓋板の開閉の際、あるいは包装媒体の切断の際に蓋板を押さえた手の滑りを防止するものであり、収納容器の長手方向の中央部に配置されていた。このため、包装媒体供給具の端部を手で掴み、包装媒体供給具を移動させる際には、手が滑り止め部に接触しないため滑り止めとして作用せず、指先が濡れた場合など、指先と包装媒体供給具の端部の表面との間に滑りが生じ、包装媒体供給具を掴みにくい場合があった。
【０００７】
そこで、本発明は、手の指と包装媒体収納容器の表面との間で滑りが生じにくく、包装媒体収納容器の端部を確実に掴むことができる包装媒体収納容器を提供することを目的とする。
【課題を解決するための手段】
【０００８】
上記目的を達成するために、本発明の第１の態様に係る包装媒体収納容器３は、例えば図１、図２（Ａ）、（Ｂ）に示すように、底板５と前板６と後板７と右側面板８と左側面板９とからなる一面３０が開口された包装媒体巻回体２を収納する包装媒体収納容器３であって、後板７には回動可能に連接され、開口された一面３０を塞ぐように構成された蓋板２２と、当該蓋板２２に立設された蓋前板２３と当該蓋前板２３に切取線２５を介して連接された開封板２６とを含んで構成される蓋開封前板２９とからなる包装媒体収納容器３において；底板５と前板６と後板７と蓋板２２と蓋開封前板２９の少なくともいずれかの一つの面に形成された滑り止め部部５Ａ、５Ｂ、６Ａ、６Ｂ、７Ａ、７Ｂ、２２Ａ、２２Ｂ、２９Ａ、２９Ｂを備える。
【０００９】
このよう構成にすると、底板と前板と後板と蓋板と蓋開封前板の少なくともいずれかの一つの面に形成された滑り止め部を備えるので、包装媒体収納容器の滑り止め部のある底板と前板と後板と蓋板と蓋開封前板の少なくともいずれかの一つの面を手で掴むときに、指が滑り止め部に引っかかるので、手の指と滑り止め部との間で滑りが生じにくく、包装媒体収納容器の端部を確実に掴むことができる。
【００１０】
本発明の第２の態様に係る包装媒体収納容器３は、例えば図２（Ａ）、（Ｂ）に示すように、第１の態様の包装媒体収納容器において、滑り止め部５Ａ、５Ｂ、６Ａ、６Ｂ、７Ａ、７Ｂ、２２Ａ、２２Ｂ、２９Ａ、２９Ｂが、底板５と前板６と後板７と蓋板２２と蓋開封前板２９との面にそれぞれ形成されている。
【００１１】
このように構成すると、滑り止め部が、底板と前板と後板と蓋板と蓋開封前板との面にそれぞれ形成されているので、包装媒体収納容器の面を手で掴むときに、指がいずれかの面の滑り止め部に引っかかるので、手の指と滑り止め部との間で滑りが生じにくく、包装媒体収納容器の端部を確実に掴むことができる。
【００１２】
本発明の第３の態様に係る包装媒体収納容器３は、例えば図２（Ａ）に示すように、第１の態様または第２の態様の包装媒体収納容器において、滑り止め部２２Ａ、２２Ｂ、２９Ａ、２９Ｂが、前記面の一方の端部または両方の端部２２Ａ１、２２Ｂ１、２９Ａ１、２９Ｂ１に形成されている。
【００１３】
このように構成すると、滑り止め部が、底板、前板、後板、蓋板、蓋開封前板の面の一方の端部または両方の端部に形成されているので、底板、前板、後板、蓋板、蓋開封前板の面の一方の端部または両方の端部を手で掴むときに、手の指と滑り止め部との間で滑りが生じにくく、包装媒体収納容器の一方の端部または両方の端部を確実に掴むことができる。
【００１４】
本発明の第４の態様に係る包装媒体収納容器３は、例えば図２（Ａ）に示すように、第３の態様の包装媒体収納容器において、前記滑り止め部２２Ａ、２２Ｂ、２９Ａ、２９Ｂが、端部２２Ａ１、２２Ｂ１、２９Ａ１、２９Ｂ１の端２２Ａ２、２２Ｂ２、２９Ａ２、２９Ｂ２から２ｍｍから１００ｍｍの範囲内に配置されている。
【００１５】
このように構成すると、滑り止め部が、端部の端から２ｍｍから１００ｍｍの範囲内に配置されているので、包装媒体収納容器の端部を手で確実に掴むことができる。
【００１６】
本発明の第５の態様に係る包装媒体収納容器３は、例えば図２（Ａ）に示すように、第１の態様乃至第４の態様のいずれか１の態様の包装媒体収納容器において、滑り止め部２２Ａ、２２Ｂ、２９Ａ、２９Ｂが、エンボス加工がなされたエンボスである。
【００１７】
このように構成すると、滑り止め部が、エンボス加工がなされたエンボスであるので、包装媒体収納容器のエンボスに指が引っかかり、手の指が滑りにくく、包装媒体収納容器の端部を確実に掴むことができる。
【００１８】
本発明の第６の態様に係る包装媒体収納容器３は、例えば図５（Ａ）に示すように、第５の態様の包装媒体収納容器において、エンボス３５が、並列して配置された複数のＶ字状である。
【００１９】
このように構成すると、エンボスが、並列して配置された複数のＶ字状であるので、エンボスに指が引っかかり、指が滑りにくく、包装媒体収納容器の端部を確実に掴むことができる。
【００２０】
本発明の第７の態様に係る包装媒体収納容器３は、例えば図５（Ｂ）および（Ｃ）に示すように、第５の態様の包装媒体収納容器において、エンボス３６が、互いに平行に配置された複数の棒線状である。
【００２１】
このように構成すると、エンボスが、互いに平行に配置された複数の棒線状であるので、エンボスに指が引っかかり、指が滑りにくく、包装媒体収納容器の端部を確実に掴むことができる。
【００２２】
本発明の第８の態様に係る包装媒体収納容器３は、例えば図６に示すように、第１の態様乃至第４の態様のいずれか１の態様の包装媒体収納容器において、滑り止め部５Ａが、穴加工がなされた穴部４７であり；穴部４７が、散点状に配列された複数の穴５０からなる複数の穴列４８を有し；穴列４８が、底板５の長手方向Ｘに直角で互いに平行に配列され；穴５０の最大径が、０．１ｍｍから１０ｍｍの範囲にある。
【００２３】
このように構成すると、穴列に指が引っかかり、滑りにくく、包装媒体収納容器の端部を確実に掴むことができる。
【００２４】
上記目的を達成するために、本発明の第９の態様に係る包装媒体供給具１は、例えば図１に示すように、第１の態様乃至第８の態様のいずれか１の態様の包装媒体収納容器３と；包装媒体１２が円筒状に巻かれた包装媒体巻回体２とを備える。
【発明の効果】
【００２５】
以上説明したように、本発明の包装媒体収納容器によれば、底板と前板と後板と蓋板と蓋開封前板の少なくともいずれかの一つの面に形成された滑り止め部を備えるので、包装媒体収納容器の滑り止め部のある底板と前板と後板と蓋板と蓋開封前板の少なくともいずれかの一つの面を手で掴むときに、指が滑り止め部に引っかかるので、手の指と滑り止め部との間で滑りが生じにくく、包装媒体収納容器の端部を確実に掴むことができる。
【図面の簡単な説明】
【００２６】
【図１】本発明の実施の形態に係る、滑り止め部を省略して描いた、蓋板が開いた状態の包装媒体収納容器を備える包装媒体供給具の斜視図である。
【図２】（Ａ）は、開封板を蓋前板から切り取る前の状態の包装媒体収納容器を備える図１に示す包装媒体供給具を正面上方から見た斜視図である。（Ｂ）は、同包装媒体供給具を背面下方から見た斜視図である。
【図３】開封板を蓋前板から切り取った後であり、蓋が開いた状態の包装媒体収納容器を備える包装媒体供給具の斜視図である。
【図４】滑り止め部の大きさおよび配置を説明する図である。
【図５】（Ａ）は滑り止め部であるエンボスの一形態を示す滑り止め部の図である。（Ｂ）は、他の形態のエンボスを示す図である。（Ｃ）は、さらに他の形態のエンボスを示す図である。
【図６】他の形態の滑り止め部を示す図である。
【図７】（Ａ）は、凹陥部が滑り止め部として前板に形成された従来の包装媒体供給具の斜視図である。（Ｂ）は、小突起の集合パターンが滑り止め部として前板に形成された従来の包装媒体供給具の斜視図である。（Ｃ）は、曲面が滑り止め部として前板と蓋前板に形成された従来の包装媒体供給具の斜視図である。
【発明を実施するための形態】
【００２７】
以下、本発明の実施の形態について、図面を参照して説明する。なお、各図において互いに同一あるいは相当する部材には同一の符号を付し、重複した説明は省略する。
【００２８】
実施の形態に係る、包装媒体収納容器３（以下適宜、収納容器３）を備える包装媒体供給具１（以下適宜、供給具１）の構成を説明する。図１は、底板５を鉛直方向下にし水平に配置した状態の供給具１の斜視図である。図１は、蓋板２２が開いた状態の図であり、包装媒体１２が収納容器３に収納された状態が示されている。図１には、滑り止め部の記載を省略してある。図２は、蓋板２２が閉じた状態の供給具１の斜視図であり、（Ａ）が正面上方からの斜視図であり、（Ｂ）が背面下方からの斜視図である。図３は、開封板２６を開封し、蓋板２２を開けた後の供給具１の斜視図である。なお、図１に示すように、長手方向Ｘは、収納容器３を正面に見て、図中、右方向と、左方向とを含む。
【００２９】
供給具１は、包装媒体１２が円筒状に巻かれた細長い包装媒体巻回体２（以下、適宜、巻回体２）と、巻回体２を収納する収納容器３とを含んで構成される。巻回体２は、食品包装用等に使用される包装媒体１２を円筒状の巻芯１０に巻きつけて巻回体２としたものである。巻回体２は、略直方体形状である厚紙製またはボール紙製の収納容器３の中に収納される。供給具１の長手方向Ｘの長さは、例えば３１０ｍｍである。
【００３０】
図１に示すように、収納容器３は、包装媒体１２が円筒状に巻かれた巻回体２を収容し、一面３０が開口され、当該開口された一面３０から巻回体２を出し入れすることができる。巻芯１０に巻かれた包装媒体１２は、ポリ塩化ビニリデンを原材料とする透明フィルムであって、ポリ塩化ビニル、ポリエチレン、ポリメチルペンテン、もしくはこれらを組み合わせた多層フィルムであってもよい。また、包装媒体１２は、ロール紙、アルミホイル、加熱調理用紙シート、キッチンペーパであってもよい。
【００３１】
収納容器３は、図中、底板５と、底板５の一辺３１（長辺）に底板５に対し直角に立設された前板６と、一辺３１に対向する底板５の他の一辺３２（長辺）に底板５に対し直角に立設された後板７と、底板５の端としての短辺５Ａ２、５Ｂ２に底板５に対し直角に立設された右側面板８（図中、右側）、左側面板９（図中、左側）とを備える。底板５、前板６、後板７は、略長方形であり、右側面板８、左側面板９は略正方形である。
【００３２】
収納容器３は、さらに、蓋板２２と、蓋前板２３と、蓋右側面板７３（図中、右側）、蓋左側面板７４（図中、左側）とを備える。蓋板２２は、底板５の他の一辺３２に対向する連接辺３９を有し、連接辺３９において後板７に回動可能に連接され、開口された一面３０を塞ぐよう構成される。蓋前板２３は、連接辺３９に対向する蓋板２２の一辺４０に蓋板２２に対して直角に立設され、蓋板２２が一面３０を塞いだ状態のとき、前板６の外側の面に沿って重なるよう配置される。前板６の外側の面とは、前板６の後板７側の面とは反対側の面、すなわち前板６の巻回体２が収納されている側の面とは反対側の面をいう。蓋右側面板７３、蓋左側面板７４は、蓋板２２の端としての短辺２２Ａ２、２２Ｂ２に対して直角に立設され、蓋板２２が一面３０を塞いだ状態のとき、右側面板８、左側面板９の外側に重なるように配置される。蓋板２２、蓋前板２３、蓋右側面板７３、蓋左側面板７４は略長方形である。
【００３３】
蓋前板２３には、蓋板２２の一辺４０に対向する一辺４６を有し、一辺４６はＶ字形状に形成されている。当該Ｖ字形状は、蓋板２２の一辺４０に沿った方向の蓋前板２３の中央部においての一辺４０から遠ざかる方向に出っ張るよう形成されている。蓋前板２３には、包装媒体１２を切断するカッター２４であって、蓋板２２の一辺４０から遠ざかる方向にＶ字形状からはみ出し、Ｖ字形状に沿って配置されたカッター２４が取り付けられている。
【００３４】
収納容器３は開封板２６を備え、開封板２６は、蓋前板２３の一辺４６に断続的に切り込みが形成された切取線２５を介して蓋前板２３に連接されている。以下、蓋前板２３と開封板２６が連接して成る一面を、適宜、蓋開封前板２９とする。開封板２６は、前板６の外側の面に沿って当該面に重なるように配置されている。開封板２６が切取線２５から切り取られ、蓋前板２３より分離することにより、蓋板２２を開け、一面３０を開とし、包装媒体１２を収納容器３から引き出すことができる。
【００３５】
前板６は、前板６の収納容器３の外側に対応する面に、底板５の一辺３１に平行に配置された複数の接着エリア３４を有する。接着エリア３４は、前板６の外側の面の蓋前板２３に重ならない、図中、蓋前板２３の下側（底板５に近い方の側）の部分に配置されている。開封板２６の裏側（前板６の外側の面に沿う側）には、底板５の一辺３１に平行に開封板２６の長手方向Ｘの一方の端から他方の端まで帯状に接着剤が塗られている。前板６の表側には、接着エリア３４を除いて、剥離オーバープリント二スが塗布される。したがって、開封板２６は接着エリア３４の部分で前板６に接着される。開封板２６を切取線２５に沿って蓋前板２３から切り取られる際に、開封板２６は接着されていた前板６から、すなわち接着エリア３４から剥がされる。
【００３６】
図２（Ａ）、（Ｂ）に示すように、底板５、後板７、蓋板２２、蓋開封前板２９は、収納容器３の長手方向Ｘの両端部５Ａ１、Ｂ１、７Ａ１、Ｂ１、２２Ａ１、Ｂ１、２９Ａ１、Ｂ１にそれぞれ滑り止め部５Ａ、Ｂ、７Ａ、Ｂ、２２Ａ、Ｂ、２９Ａ、Ｂを有する。滑り止め部は、互いに同一または鏡対称に形成するとよい。
【００３７】
図３に示すように、開封板２６を切り取った後に現れる前板６の両端部６Ａ１、Ｂ１にも、収納容器３の長手方向Ｘの両側にそれぞれ滑り止め部６Ａ、Ｂを有する。開封板２６を切り取った後は、蓋前板２３の両端部２３Ａ１、Ｂ１と前板６の両端部６Ａ１、Ｂ１に設けられた滑り止め部６Ａ、Ｂ、２３Ａ、Ｂによって、蓋板２２を閉じた時の正面側の一面の滑り止め部を構成する。すなわち、前板６に形成されている滑り止め部６Ａ、Ｂは、開封板２６に形成されている滑り止め部２６Ａ、Ｂと形状、大きさおよび配置が同一であり、蓋開封前板２９に形成された滑り止め部２９Ａ、Ｂの一部である。なお、前板６の両端部６Ａ１、Ｂ１に、後板７に形成されている滑り止め部７Ａ、Ｂ（図２（Ｂ））と全く同一の滑り止め部を形成してもよい。このようにすると、蓋板２２を開けた状態の収納容器３を移動するときに前板６と後板７を掴んだとき、収納容器３を手の滑りを起こさずに掴むことができる。
【００３８】
図２（Ａ）、（Ｂ）に示すように、滑り止め部５Ａ、Ｂ、７Ａ、Ｂ、２２Ａ、Ｂ、２９Ａ、Ｂは、両端部５Ａ１、Ｂ１、７Ａ１、Ｂ１、２２Ａ１、Ｂ１、２９Ａ１、Ｂ１に設けられるが、もしくは長手方向Ｘの右側の端部５Ａ１、７Ａ１、２２Ａ１、２９Ａ１または左側の端部５Ｂ１、７Ｂ１、２２Ｂ１、２９Ｂ１のどちらか一方に設けてもよい。滑り止め部は、底板５、後板７、蓋板２２、蓋開封前板２９、前板６のいずれか一面において、長手方向Ｘの全体に設けられてもよい。
【００３９】
図４に、底板５の右側の端部５Ａ１に形成された滑り止め部５Ａを示す。当該端部５Ａ１において、長手方向Ｘの右側の端としての短辺５Ａ２から滑り止め部５Ａに最も近い点までの距離Ｌ１は２ｍｍ以上であり、最も遠い点までの距離Ｌ２は１００ｍｍ以下となるよう滑り止め部５Ａを設けるのが好ましい。このようにすると容易に端部５Ａ１を掴むことができる。距離Ｌ１を５ｍｍ以上とし、距離Ｌ２を８０ｍｍ以下とするのがよりこのましい。このようにするとより容易に端部５Ａ１を掴むことができる。男性の手において、指の付け根から指先までの長さが最大約８０ｍｍであるためである。短辺方向Ｗにおいては、滑り止め部５Ａを、短辺方向Ｗの全体に設けられてもよいが、好ましくは短辺方向Ｗの端である一辺３１または他の一辺３２から滑り止め部の端に最も近い点までの距離Ｌ３を２ｍｍ以上とするのが好ましい。紙から成る収納容器３の全体的な寸法精度を維持するためである。距離Ｌ３は５ｍｍ以上とするのがより好ましい。このようにすると当該寸法精度をより確実に維持することができる。以上述べたことは、底板５の左側の端部５Ｂ１に形成された滑り止め部５Ｂ、他の後板７、蓋開封前板２９、蓋板２２、蓋前板２３／前板６の端部に形成された滑り止め部についても同様に適用される。
【００４０】
滑り止め部は、底板５、後板７、蓋板２２、蓋開封前板２９の、少なくともいずれかの一面に設けられればよい。このようにすると、収納容器３が棚の上にある場合に指を引っ掛けて引き寄せやすい。また段ボールケースに縦入れされている場合に指を引っ掛けて引きずり出しやすい。また、滑り止め部は、底板５と蓋板２２、蓋開封前板２９と後板７等、収納容器３の対向する二面に設けてもよい。このようにすると、収納容器３を掴む際に滑りにくく、しっかり掴むことができる。また、滑り止め部は、収納容器３の四面全てに設けてもよい。このようにすると、保管時等の面の向きがどの方向であっても、面の向きを視認する手間をかけずに、しっかり掴むことができる。
【００４１】
図５（Ａ）、（Ｂ）、（Ｃ）に、滑り止め部５Ａの詳細を示すが、これには限定されないものとする。例として、底板５の長手方向Ｘの右側の端部５Ａ１に設けられた滑り止め部５Ａで説明する。底板５の短辺方向Ｗの幅Ｗ１は、例えば、４０ｍｍである。
【００４２】
図５（Ａ）に示すように実施の形態の滑り止め部５Ａは、長手方向Ｘに対して６０度の角度αだけ傾いたＶ字状（１２０度開いたＶ字状）のエンボス３５から形成されている。エンボス３５は長手方向に沿って３列に並列に並んで配置されている。滑り止め部５Ａの短辺方向Ｗの長さＺ１は２７ｍｍである。エンボス３５は１１ｍｍの間隔（一つのエンボス３５の中心線と隣り合うエンボス３５の中心線との間の間隔）Ｐ１を置いて形成されている。エンボス３５の幅Ｗ２は４ｍｍである。
【００４３】
図５（Ｂ）に示すように滑り止め部５Ａは、長手方向Ｘに対し直角に配置された棒線状のエンボス３６から形成されてもよい。エンボス３６は長手方向Ｘに沿って互いに平行に４列に並んで配置されている。滑り止め部５Ａの短辺（底板５の短辺）方向Ｗの長さＺ１は２７ｍｍである。エンボス３６は１１ｍｍの間隔（一つのエンボス３６の中心線と隣り合うエンボス３６の中心線との間の間隔）Ｐ１を置いて形成されている。エンボス３６の幅Ｗ２は３ｍｍである。
【００４４】
図５（Ｃ）に示すように滑り止め部５Ａは、長手方向Ｘに対し６０度の角度βで起き上がって（一辺３１から他の一辺３２に向かって図中、エンボスの左端が６０度起き上がる）配置された棒線状のエンボス５２１、５２２から形成されてもよい。エンボス５２１、５２２は長手方向Ｘに対し６０度の角度βで互いに平行に４列に並んで配置されている。エンボス５２１、５２２は中央の二つの長いエンボス５２１と、外側の短い二つのエンボス５２２からなる。滑り止め部５Ａの短辺（底板５の短辺）方向Ｗの長さＺ１は２７ｍｍである。エンボス５２１、５２２は９ｍｍの間隔（一つのエンボスの中心線と隣り合うエンボスの中心線との間の間隔）Ｐ１を置いて形成されている。エンボス５２１、５２２の幅Ｗ２は３ｍｍである。
【００４５】
滑り止め部のエンボスの形状は、収納容器３（図１（Ａ））の各面において全て同一の形状とする構成であってもよいし、面毎に異なる形状を形成する構成であってもよい。右側の端部と左側の端部で異なる形状を形成する構成であってもよい。エンボスの形状は各面の長手方向の中心線に対して面対称に構成してもよく、当該中心線に対して非面対象に構成してもよい。当該中心線に対して非面対象に構成し、さらに面毎に異なる形状とし、収納容器３のどの面（底板、蓋板等）に触ったのかが分かり、触っただけで収納容器３がどのようの姿勢で置かれているのかが分かるようにしてもよい。
【００４６】
滑り止め部５Ａは例えば底板５の外側表面に隆起するエンボスに限らず、底板５の内側表面に隆起するエンボスであってもよく、これらのエンボスの両方からなる構成であってもよい。また、棒線状のエンボスに限らず、半球状のエンボスであってもよく、これら棒線状エンボスと半球状エンボスの両方からなる構成であってもよい。
【００４７】
滑り止め部５Ａが底板５から外側表面に隆起するエンボスである場合、滑り止め部が形成される略四角の範囲全体を、エンボスの隆起分だけ窪ませる構成であってもよい。滑り止め部５Ａの効果を維持しつつ、エンボスの頂部を底板５の面と面一にすることができる。これにより、包装媒体供給具１の複数個を多段に積み上げる際、斜めに傾かずに垂直に積み上げることができる個数が、底板５がエンボスを形成しない平面である場合と、ほぼ同じ個数を積み上げることができるようになる。
【００４８】
収納容器３は、図１に示すように略直方体形状であるが、一般に平面上の板紙を打ち抜いて、展開図の切り抜き及び罫線の形成を行う打抜工程、打抜工程で得られた板紙を折り曲げて箱を形成する製函工程を経て作成される。したがって、エンボスは打抜工程と同時に押し型を使用してプレス加工（エンボス加工）することによって形成するか、又は打抜工程前後でエンボス加工工程を設けて形成することができる。エンボスの深さは、０．０５〜０．４０ｍｍとすることが好ましい。より好ましくは０．１０〜０．３０ｍｍである。０．０５ｍｍ未満では、エンボスを設ける効果が得られない場合がある。０．４ｍｍを超えると、素材がエンボス加工時の伸びに追従できず、板紙が割れたり、切れたりする場合がある。
【００４９】
図６に示すように、滑り止め部５Ａとして、穴列４８を有する穴部４７を設け、円形の多数の穴５０を開けてもよい。穴５０の直径は、０．１ｍｍから１０ｍｍの範囲とするとよい。穴５０に指の一部が入り込み、滑り止め部として作用する。
【００５０】
図５（Ａ）、（Ｂ）、（Ｃ）、図６に示す滑り止め部５Ａは、底板５の右側の端部５Ａ１だけでなく、左側の端部５Ｂ１に設けられる滑り止め部５Ｂ、さらに、蓋板２２、後板７、蓋開封前板２９、前板６の滑り止め部に適用することができる。
【００５１】
滑り止め部は、表面に滑り止め加工がなされたシール（不図示）を貼り付ける構成であってもよい。
【００５２】
[試験例]
次に、図５（Ａ）、（Ｃ）を用いエンボスの人間の指による感触を評価する感触官能評価試験の結果を説明する。
【００５３】
評価試験は、収納容器３に包装媒体巻回体２を備える包装媒体供給具１を用いて行った。原材料はコートボール紙（重さ：５５０ｇ／ｍ２、厚さ：０．７０ｍｍ）を使用した。包装媒体供給具１の大きさは、３１０ｍｍ（長さ）×４５ｍｍ（幅）×４５ｍｍ（高さ）とした。エンボスの深さは、０．１０ｍｍとした。なお、評価は１０人のモニターにより行った。
【００５４】
収納容器３において、図５（Ａ）に示すＶ字状のエンボスからなる滑り止め部を、蓋板２２の外側表面に隆起する形で、両端部２２Ａ１、２２Ｂ１に鏡対称に形成して、試験例１を得た。
【００５５】
収納容器３において、図５（Ｃ）に示す５２１、５２２のエンボスからなる滑り止め部を、蓋板２２の外側表面に隆起する形で、両端部２２Ａ１、２２Ｂ１に鏡対称に形成して、試験例２を得た。
【００５６】
収納容器３において、蓋板２２の表面にエンボスを有せず、滑り止め部を形成しない比較例１を得た。
【００５７】
試験例１、２及び比較例１を、モニターの胸から目のあたりの高さの台の上に蓋板２２を鉛直方向上側にして設置した。モニターには設置した位置から実際に試験例１、２及び比較例１を取ってもらい、比較例１の感触を参考にし、試験例１と試験例２のエンボスの感触を、(1) 感触有り、(2)やや感触有り、(3) 感触無し（比較例１と同等）の三段階で評価してもらった。試験例１、２及び比較例１についての、官能評価の結果を表１に示す。
【００５８】
【表１】
0005714302.tif 000002
【００５９】
表１に示されるように、試験例１について「感触あり」とする回答が７人と一番多かった。試験例２は３人、比較例１は０人であった。したがって、この官能評価結果から、試験例１のＶ字状のエンボスの方が、試験例２の棒線状のエンボスよりも、感触が強いと感じるモニターが多いとの結論が得られた。
【００６０】
本実施の形態の包装媒体収納容器３によれば、底板５と蓋板２２と後板７と蓋開封前板２９（蓋前板２３／開封板２６）と前板６の端部５Ａ１、Ｂ１、２２Ａ１、Ｂ１、７Ａ１、Ｂ１、２９Ａ１、Ｂ１（２３Ａ１、Ｂ１／２６Ａ１、Ｂ１）、６Ａ１、Ｂ１に、滑り止め部５Ａ、Ｂ、２２Ａ、Ｂ、７Ａ、Ｂ、２９Ａ、Ｂ（２３Ａ、Ｂ／２６Ａ、Ｂ）、６Ａ、Ｂを備えるので、包装媒体収納容器３の端部を手で掴むときに、指が滑り止め部に引っかかるので、手の指と滑り止め部との間で滑りが生じにくく、包装媒体収納容器３の端部を確実に掴み、包装媒体収納容器３を移動させることができる。
【００６１】
特に、供給具１（開封前）が搬送用の梱包箱に鉛直方向に収納されている場合、また供給具１（開封前および開封後）が棚の上、あるいはテーブルの上に保管されている場合に、端部を手で掴むことができ、指が滑り止め部にあたり滑りにくいので、供給具１を容易に移動させることができる。
【符号の説明】
【００６２】
１  包装媒体供給具
２  包装媒体巻回体
３  包装媒体収納容器
４  端部
５  底板
５Ａ、５Ｂ  滑り止め部
５Ａ１、５Ｂ１  端部
５Ａ２、５Ｂ２  短辺（端）
６  前板
６Ａ、６Ｂ  滑り止め部
６Ａ１、６Ｂ１  端部
６Ａ２、６Ｂ２  短辺（端）
７  後板
７Ａ、７Ｂ  滑り止め部
７Ａ１、７Ｂ１  端部
７Ａ２、７Ｂ２  短辺（端）
８  右側面板
９  左側面板
１０  巻芯
１２  包装媒体
２２  蓋板
２２Ａ、２２Ｂ  滑り止め部
２２Ａ１、２２Ｂ１  端部
２２Ａ２、２２Ｂ２  短辺（端）
２３  蓋前板
２３Ａ、２３Ｂ  滑り止め部
２４  カッター
２５  切取線
２６  開封板
２６Ａ１、２６Ｂ１  端部
２６Ａ２、２６Ｂ２  短辺（端）
２９  蓋開封前板
２９Ａ１、２９Ｂ１  端部
２９Ａ２、２９Ｂ２  短辺（端）
３０  一面
３１  一辺
３２  他の一辺
３４  接着エリア
３５、３６  エンボス
３９  連接辺
４０  一辺
４６  一辺
４７  穴部
４８  穴列
５０  穴
５２１、５２２  エンボス
７３  蓋右側面板
７４  蓋左側面板
【図１】
0005714302.tif 000003
【図２】
0005714302.tif 000004
【図３】
0005714302.tif 000005
【図４】
0005714302.tif 000006
【図５】
0005714302.tif 000007
【図６】
0005714302.tif 000008
【図７】
0005714302.tif 000009